(57)【要約】本発明は、電源への装置の接続のための端子２と、前記端子に接続された整流器３と、交流スイッチング電圧を生成するために前記整流器に接続され、ハーフブリッジ点５を有するハーフブリッジ回路４と、前記ハーフブリッジ回路を制御する制御回路６と、前記ハーフブリッジ回路により供給される前記交流スイッチング電圧から前記制御回路のための供給電圧を引き出し、前記ハーフブリッジ点に結合された充電キャパシタ１０を有する電力供給源７と、前記ハーフブリッジ点に結合された負荷回路８とを有する装置であって、前記充電キャパシタが、インピーダンス１３，１６を介して前記ハーフブリッジ点に結合された装置に関するものである。
2004512799.tif 000002
【特許請求の範囲】
【請求項１】
電源への装置の接続のための端子と、
前記端子に接続された整流器と、
交流スイッチング電圧を生成するために前記整流器に接続され、ハーフブリッジ点を有するハーフブリッジ回路と、
前記ハーフブリッジ回路を制御する制御回路と、
前記ハーフブリッジ回路により供給される前記交流スイッチング電圧から前記制御回路のための供給電圧を引き出し、前記ハーフブリッジ点に結合された充電キャパシタを有する電力供給源と、
前記ハーフブリッジ点に結合された負荷回路と
を有する装置であって、
前記充電キャパシタが、インピーダンスを介して前記ハーフブリッジ点に結合された装置。
【請求項２】
前記充電キャパシタを前記ハーフブリッジ点に接続する前記インピーダンスが、前記充電キャパシタと直列にコイルを有する請求項１記載の装置。
【請求項３】
前記負荷回路が、前記ハーフブリッジ点に接続された１次側を有する変圧器を有する請求項１又は２記載の装置。
【請求項４】
前記負荷回路が、前記接続インピーダンスを介して前記ハーフブリッジ点に接続された請求項１ないし３のいずれか１項に記載の装置。
【請求項５】
前記充電キャパシタが、前記ハーフブリッジ点から遠い側において、前記接続インピーダンスに接続された請求項４記載の装置。
【請求項６】
前記接続インピーダンスが、接続コイルを有する請求項４又は５記載の装置。
【請求項７】
当該装置が携帯型であり、前記端子が異なる電力レベルの電源に接続可能である請求項１ないし６のいずれか１項に記載の装置。
【発明の詳細な説明】
【０００１】
【発明の属する技術分野】
本発明は、電源への装置の接続のための端子と、端子に接続された整流器と、交流スイッチング電圧を生成するために整流器に接続され、ハーフブリッジ点を有するハーフブリッジ回路と、ハーフブリッジ回路を制御する制御回路と、ハーフブリッジ回路により供給される交流スイッチング電圧から制御回路のための供給電圧を引き出し、ハーフブリッジ点に結合された充電キャパシタを有する電力供給源と、ハーフブリッジ点に結合された負荷回路とを有する装置に関する。
【０００２】
【従来の技術】
このような装置は米国特許第５，７０５，８９４号公報から知られており、この公報に記載されている装置では、電源が本質的に一対のダイオードを有しており、充電キャパシタが、一方では上記一対のダイオードの間の接続部（ｎｏｄｅ）に接続されており、他方ではハーフブリッジ回路の出力部に直接接続されている。上記ハーフブリッジ回路は、制御回路と共に、負荷部を駆動するハーフブリッジ共振型変換器を形成している。
【０００３】
上記既知の装置の制御回路は、印加される供給電圧が所定の範囲内ではない場合には電力供給源を単に短絡させることにより、供給電圧を選択的に受け入れる手段を含んでいる。
【０００４】
【発明が解決しようとする課題】
既知の装置の不利な点は、とりわけ整流器からの高い整流電圧がハーフブリッジ回路に供給されるときに、特に、上記電力供給源の一対のダイオードの少なくとも１つにおいて電力損失（ｄｉｓｓｉｐａｔｉｏｎ）が大きいことである。
【０００５】
【課題を解決するための手段】
本発明によれば、既知の装置の上述した問題を除去するか、又は少なくとも軽減するために、充電キャパシタが、インピーダンスを介してハーフブリッジ点に結合されていることを特徴とする装置が提供される。本発明は、インピーダンスが、上述した一対のダイオードの１つを通る電流を安定化させることができ、従って、上記電流は、整流器からのいかなる整流電圧であっても、ほぼ一定のままであるという見識に基づいている。そのため、電力損失が低減され、より経済的な装置が提供される。
【０００６】
上記充電キャパシタをハーフブリッジ点に接続する上記インピーダンスは、充電キャパシタと直列にコイルを有することが好ましい。これは、本発明の、非常にすっきりとした、簡単な実施態様である。
【０００７】
上記負荷回路は、ハーフブリッジ点に接続された１次側を有する変圧器を介してハーフブリッジ点に接続され得る。このような変圧器は、負荷回路に適した電力レベルが得られるという利点を有している。上記負荷回路は、好ましくはコイルである接続インピーダンスを介してハーフブリッジ点に接続され得る。
【０００８】
負荷部が接続インピーダンスを介してハーフブリッジ点に接続された構成では、充電キャパシタは、ハーフブリッジ点から遠い側において接続インピーダンスに接続されていることが好ましい。このように、同時にハーフブリッジ点と負荷回路との間に接続されたインピーダンスは、インピーダンスを介して充電キャパシタがハーフブリッジ点に接続される当該インピーダンスを形成する。充電キャパシタとハーフブリッジ点との間にインピーダンスを形成するための追加の部品はもはや必要ではなく、本発明は、装置に部品を加える必要なく実現される。
【０００９】
本発明は、当該装置が携帯型であり、その端子が異なる電力レベルの幾つかの電源に接続され得る場合に特に有利である。そのような装置は、携帯型かみそり、例えば移動電話機のための充電器などであり得る。旅行時に、ユーザは現地の電源の多くの電力レベルに直面する。このような電力レベルは、約１００ボルトから２３０ボルトまでの幅がある。従って、整流器により供給される整流電圧は、本質的には１００ボルトから４００ボルトまでの間で変化する。本発明の特徴を有していない場合、４００ボルトの場合の電力供給源における上記一対のダイオードのうちの１つの電力損失は、１００ボルトにおける場合の８倍大きくなり得る。最悪の場合の条件（４００ボルト）に関してこのダイオードを必要な大きさにすることは、できる限り小さいことが好ましい携帯型装置にもはや用いることができない大きなダイオードをもたらす。この電力を損失するダイオードは、スペースを節約するために最悪の場合の条件（４００ボルト）用の寸法とされていない場合、そのような最悪の場合の条件にさらされたときに過熱してしまう。本発明によれば、この問題は効果的に克服される。
【００１０】
本発明は、以下において、他の特徴、利点及び機能が明らかになり、より十分に説明されるであろう。その説明は、添付の図面と共に受け入れられるべきである。
【００１１】
なお、図において、同一又は類似した部品、素子及びサブアセンブリには、同一の参照符号が付されている。
【００１２】
【発明の実施の形態】
模式的に示された図１の装置１は、端子２と、端子２に接続された整流器３と、上記整流器に接続され、交流スイッチング電圧を生成するハーフブリッジ回路４と、ハーフブリッジ回路４のための制御回路６と、ライン９を介して上記制御回路に供給電圧を印加する電力供給源７と、負荷回路８とを有している。上記ハーフブリッジ回路の出力部をハーフブリッジ点５と言う。
【００１３】
負荷回路８は、例えば、携帯型シェーバのモータ、又は携帯型電話機のバッテリー用の充電器のような同様のサブアセンブリ等である。この負荷回路８は、変圧器を介してハーフブリッジ点５に接続されている。電力供給源７は、ハーフブリッジ回路４により生成される交流スイッチング電圧から得られる供給電圧を、上記制御回路に供給する。
【００１４】
電力供給源７は、本質的に２つのダイオード１１，１２を有しており、そのうち１つのダイオードは、電力を損失するダイオードであり得る。図１では、これはツェナーダイオード１１である。電力供給源７は、また、充電キャパシタ１０を有しており、この充電キャパシタ１０は、一方ではダイオード１１，１２間の接続部に接続され、他方では、図１に示した実施態様ではコイル１３により形成されているインピーダンスを介してハーフブリッジ点５に接続されている。
【００１５】
コイル１３は、ツェナーダイオード１１を通る電流がほぼ一定であり、整流器３により供給される整流電力レベルから独立していることを確実にする。ツェナーダイオード１１の電力損失は低く保たれ、このツェナーダイオード１１は、より高い電圧及び対応する電力損失に対処することができるように必要以上の大きさとされる又は拡大される必要がない。
【００１６】
特に当該装置が携帯型である場合には、これは意義のあることである。携帯型シェーバのような携帯型の装置は、１００ボルトと２３０ボルトとの間の主電源に接続され得る。従って，端子２がそのような主電源に接続されたのち、整流器３からの整流電圧は１００ボルトから４００ボルトまでにおよぶ。本発明によれば、図１のコイル１３により形成されたインピーダンスが、ツェナーダイオードを通り、整流器３からの整流電圧とは無関係であり、従って実際に端子２が接続される主電源のレベルとは無関係であるほぼ一定の電流を確かなものにする。
【００１７】
制御回路６がハーフブリッジ回路４と共に機能する形態は、当該技術分野においてよく知られており、例えば、上述した米国特許第５，７０５，８９４号公報に少なくとも部分的に記載されている。制御回路６及びハーフブリッジ回路４が負荷部８を駆動するように機能する形態は、当該技術分野において一般的に知られているので、ここではこれ以上の説明は省略する。
【００１８】
図２を参照して、図２に示した本発明による装置では、負荷回路８が、コイル１６により形成されたインピーダンスを介してハーフブリッジ点５に接続された１次側を有する変圧器１５を介して、ハーフブリッジ点５に接続されていることに注意されたい。
【００１９】
図１では、充電キャパシタ１０とハーフブリッジ点５との間のインピーダンスを形成しているコイル１３が追加の部品であり、図２の装置１４ではもはや必要ではないという点で、図２の装置１４は図１の装置１と比較してより単純化されている。
【００２０】
充電キャパシタ１０は、一方では、図１と同様にダイオード１１，１２間の接続部に接続されているが、他方では、変圧器１５と、ハーフブリッジ点５に接続されたコイル１６により形成されたインピーダンスとの間の接続部に接続されている。ほとんどの従来技術の装置では、コイル１６は、変圧器１５とハーフブリッジ点５との間に、スケーリング、マッチング又は接続の目的のために既に存在する。
【００２１】
従って，従来技術の装置と比較して追加の部品は用いられないが、充電キャパシタ１０の、ダイオード１１，１２間の接続部から遠い側にインピーダンスを設けることによって、上記電力損失ダイオード、すなわちツェナーダイオード１１を通る電流が安定化され、その結果、ダイオード１１の電力損失が最小化される。
【００２２】
図３は、本発明による装置１７の第３の実施態様を示している。充電キャパシタ１０は、ここでは、図２の実施態様と比較して変圧器１５の１次側の他の端部１８に接続されている。ここでは、コイル１６により形成されるインピーダンスは、変圧器１５の一部であるか、又は変圧器１５に組み込まれており、これは図３において鎖線により示されている。その結果，キャパシタ１９，２０の両端の信号が共振するように、これらキャパシタ１９，２０間の接続点において信号が共振する。
【００２３】
図３の構成では、充電キャパシタ１０は、キャパシタ１９，２０間の接続点を介し、ここでは分離したコイル１６として表されている変圧器１５のインピーダンスを経て、ハーフブリッジ点５に接続されている。
【００２４】
このように、分離したコイル１６として示されている変圧器１５の内部インピーダンスが、本発明の本実施の形態にとって意義のあるインピーダンスである。
【００２５】
上述した説明に基づいて、当該技術分野の当業者であれば多くの変形例、改作物（ａｄａｐｔａｔｉｏｎ）及び代替例が可能であることは明らかであろう。従って，本発明は、本明細書において説明し、明示的に示した実施態様に限定されるものではなく、添付の特許請求の範囲に従う本発明の保護範囲の規定によってのみ限定されるものであり、説明及び図面は特許請求の範囲を解釈するために用いられるべきである。
【図面の簡単な説明】
【図１】本発明の第１の実施態様を示す図である。
【図２】本発明の第２の実施態様を示す図である。
【図３】本発明の第３の実施態様を示す図である。
【国際公開パンフレット】
2004512799.tif 000003
2004512799.tif 000004
2004512799.tif 000005
2004512799.tif 000006
2004512799.tif 000007
2004512799.tif 000008
2004512799.tif 000009
2004512799.tif 000010
2004512799.tif 000011
2004512799.tif 000012
【国際調査報告】
2004512799.tif 000013
2004512799.tif 000014
2004512799.tif 000015